(57)【要約】【課題】液晶表示用バックライトに蛍光ランプを使用した液晶テレビ等の液晶表示装置から発せられる赤外線の妨害によるリモコン受光部の感度低下を防止する。【解決手段】液晶表示用バックライトに蛍光ランプを用いた液晶パネルを有する液晶表示装置であって、蛍光ランプの温度を測定する温度測定部１４と、温度測定部１４で測定された温度と所定の閾値とを比較する比較部９と、比較部９における比較結果に基づき、リモコン部１６から出力される操作信号のゲインを制御する情報であるゲイン制御情報をリモコン部１６に出力するとともに、リモコン部１６から出力される操作信号の受信ゲインを制御するリモコン受光部１５と、リモコン受光部１５から受信したゲイン制御情報に基づきユーザー入力による操作信号のゲインを制御して、リモコン受光部１５にゲインを制御した操作信号を出力するリモコン部１６と、からなる液晶表示装置１００。【選択図】図１
2012028890.tif 000002
【特許請求の範囲】
【請求項１】
液晶表示用バックライトに蛍光ランプを用いた液晶パネルを有する液晶表示装置であって、
前記蛍光ランプの温度を測定する温度測定部と、
前記温度測定部で測定された温度と所定の閾値とを比較する比較部と、
前記比較部における比較結果に基づき、該リモコン部から出力される該操作信号のゲインを制御する情報であるゲイン制御情報を該リモコン部に出力するとともに、該リモコン部から出力される該操作信号の受信ゲインを制御するリモコン受光部と、
前記リモコン受光部から受信した前記ゲイン制御情報に基づきユーザー入力による操作信号のゲインを制御して、前記リモコン受光部にゲインを制御した前記操作信号を出力するリモコン部と、
からなる液晶表示装置。
【請求項２】
前記温度測定部で測定された温度が所定の閾値よりも低い場合、
前記リモコン部は、ユーザー入力による前記操作信号のゲインを上げ、
前記リモコン受光部は、前記リモコン部から出力される前記操作信号の受信ゲインを下げる
ことを特徴とする請求項１記載の液晶表示装置。
【請求項３】
前記液晶表示装置の電源を前回ＯＦＦした時から電源をＯＮするまでの未操作時間を計測する未操作時間計測部をさらに備え、
前記リモコン受光部は、
前記未操作時間が所定の閾値よりも短い場合、前記比較部における比較結果に関わらず、前記リモコン部および前記リモコン受光部におけるゲイン制御を行わない
ことを特徴とする請求項１記載の液晶表示装置。
【請求項４】
前記リモコン部は、
前記リモコン受光部に出力する前記操作信号のゲインの初期値を有し、
前記温度測定部で測定された温度が所定の閾値を超えた時点で、前記リモコン受光部に出力する前記操作信号のゲインを前記初期値に戻し、
前記リモコン受光部は、
前記リモコン部から出力される前記操作信号の受信ゲインの初期値を有し、
前記温度測定部で測定された温度が所定の閾値を超えた時点で、前記リモコン部から出力される前記操作信号の受信ゲインを前記初期値に戻す
ことを特徴とする請求項１から３記載の液晶表示装置。
【請求項５】
ユーザー入力による操作信号を出力するリモコンと、液晶表示用バックライトに蛍光ランプを用いた液晶パネルと、を有する液晶表示装置におけるゲイン制御方法であって、
前記蛍光ランプの温度を測定する温度測定ステップと、
前記温度測定ステップで測定された温度と所定の閾値とを比較する比較ステップと、
前記比較ステップにおける比較結果に基づき、前記操作信号のゲインを制御する情報であるゲイン制御情報を前記リモコンに出力する第一の出力ステップと、
前記リモコンにおいて、前記第一の出力ステップで出力された前記ゲイン制御情報に基づき、前記操作信号のゲインを制御する第一のゲイン制御ステップと、
前記第一のゲイン制御ステップでゲインを制御された前記操作信号を前記リモコンから出力する第二の出力ステップと、
前記比較ステップにおける比較結果に基づき、前記第二の出力ステップで前記リモコンから出力された前記操作信号の受信ゲインを制御する第二のゲイン制御ステップと、
からなる液晶表示装置におけるゲイン制御方法。
【請求項６】
液晶表示用バックライトに蛍光ランプを用いた液晶パネルを有する液晶表示装置であって、
前記蛍光ランプからの赤外線ノイズを検出する赤外線ノイズ測定部と、
前記赤外線ノイズ測定部で測定された赤外線ノイズ量と所定の閾値とを比較する比較部と、
前記比較部における比較結果に基づき、該リモコン部から出力される該操作信号のゲインを制御する情報であるゲイン制御情報を該リモコン部に出力するとともに、該リモコン部から出力される該操作信号の受信ゲインを制御するリモコン受光部と、
前記リモコン受光部から受信した前記ゲイン制御情報に基づきユーザー入力による操作信号のゲインを制御して、前記リモコン受光部にゲインを制御した前記操作信号を出力するリモコン部と、
からなる液晶表示装置。
【発明の詳細な説明】
【技術分野】
【０００１】
本発明は、液晶表示用バックライトに蛍光ランプを用いた液晶パネルを有する液晶表示装置から発せられる赤外線の妨害によるリモコン受光部の感度低下を軽減するために、リモコンとリモコン受光部のゲインを制御できるようにした液晶表示装置に関するものである。
【背景技術】
【０００２】
従来の液晶表示装置では、一般に液晶表示装置本体での操作とリモコンによる操作が出来るようになっており、リモコンによる操作ではリモコンからの操作信号を赤外線によって、液晶表示装置本体に送ることによって遠隔操作を可能にしている。赤外線によってリモコンから送られる操作信号は液晶表示装置の前面に取り付けられたリモコン受光部によって受信・復号され、電源のＯＮ／ＯＦＦ、チャンネルの変更、音量の調節、入力信号の切り替え、各種設定の変更等の動作を行なうことが出来る。
【０００３】
液晶表示装置では液晶表示用のバックライトに蛍光ランプを使用している。蛍光ランプによって背面から光を照射し偏光フィルター、カラーフィルター等を通して映像を映し出している。また、蛍光ランプはインバータ回路によって制御され表示する映像の明るさを調節している。
【０００４】
液晶表示装置では低温の場合、液晶表示用バックライトに使用している蛍光ランプの管壁温度が低く水銀蒸発が発生しにくいため、アルゴンなどの混合希ガスにより放電が開始される。この放電時に赤外線放射量（以降、赤外線ノイズ量とも言う）が多くなる。また、放射される赤外線の波長はおよそ９００ｎｍから１０００ｎｍであり、リモコンで使用している赤外線の波長（およそ９５０ｎｍ）と重なってしまい、蛍光ランプから放射される赤外線がノイズとなりリモコンの受光感度を低下させてしまう。
【０００５】
また、液晶表示装置から発生する赤外線ノイズは液晶表示用バックライトとして使用している蛍光ランプの温度が低いほど放射量が多く、温度が高くなるにつれて放射量が少なくなる傾向がある。冬季の朝等、室温が低くなり蛍光ランプの温度も低くなる場合に蛍光ランプからの赤外線の妨害を受ける可能性が高くなる。さらに、液晶表示装置の画面サイズが大きくなるに従い赤外線の放射量が多くなり妨害を受けやすくなる。
【０００６】
特許文献１のように低温の場合に蛍光ランプの点灯本数を減らして赤外線放射量を低減させることによってリモコンの感度が低下しないようにする方法がある。また、特許文献２では周囲温度と液晶表示装置の電源がＯＮしてからの時間の情報を用いてリモコン受光部のゲインを下げ、蛍光ランプからの赤外線ノイズをリモコン受光部で検出しないようにしている。
【先行技術文献】
【特許文献】
【０００７】
【特許文献１】特開２００７−８６６３２号公報
【特許文献２】特開２００９−１１８０５７号公報
【発明の概要】
【発明が解決しようとする課題】
【０００８】
しかしながら、前記特許文献１では低温の場合に蛍光ランプの点灯本数を減らすため、点灯本数を減らしている時間は輝度が低くなってしまうという課題を有していた。
【０００９】
また、前記特許文献２では周囲温度と液晶表示装置の電源がＯＮしてからの時間の情報を用いているが、周囲温度では実際に液晶表示装置の蛍光ランプが低温であるかどうかの判断を正確にすることが出来ない。また、液晶表示装置の電源がＯＮしてからの時間の情報を用いているが、リモコン受光部のゲインを下げたときに当初設計したリモコンの操作信号の到達距離が短くなってしまう。実際には液晶表示装置のランプ温度が高い状況においてもリモコン受光部のゲインを下げてしまいリモコンの受光感度が低くなる可能性があり効率が悪いという課題を有していた。
【００１０】
本発明は、前記従来の課題を解決するもので、液晶表示用バックライトに用いた蛍光ランプの温度が低く、蛍光ランプからの赤外線放射量が多い場合でも、液晶表示装置の輝度を低下させず、リモコンの操作信号の到達距離を短くすることなく、蛍光ランプからの赤外線ノイズの影響を軽減し、リモコンの操作信号を液晶表示装置に伝え操作することが可能な液晶表示装置およびその制御方法を提供することを目的とする。
【課題を解決するための手段】
【００１１】
前記従来の課題を解決するために、本発明の液晶表示装置は、液晶表示用バックライトに蛍光ランプを用いた液晶パネルを有する液晶表示装置であって、前記蛍光ランプの温度を測定する温度測定部と、前記温度測定部で測定された温度と所定の閾値とを比較する比較部と、前記比較部における比較結果に基づき、該リモコン部から出力される該操作信号のゲインを制御する情報であるゲイン制御情報を該リモコン部に出力するとともに、該リモコン部から出力される該操作信号の受信ゲインを制御するリモコン受光部と、前記リモコン受光部から受信した前記ゲイン制御情報に基づきユーザー入力による操作信号のゲインを制御して、前記リモコン受光部にゲインを制御した前記操作信号を出力するリモコン部と、からなる。
【００１２】
また、本発明の液晶表示装置におけるゲイン制御方法は、ユーザー入力による操作信号を出力するリモコンと、液晶表示用バックライトに蛍光ランプを用いた液晶パネルと、を有する液晶表示装置におけるゲイン制御方法であって、前記蛍光ランプの温度を測定する温度測定ステップと、前記温度測定ステップで測定された温度と所定の閾値とを比較する比較ステップと、前記比較ステップにおける比較結果に基づき、前記操作信号のゲインを制御する情報であるゲイン制御情報を前記リモコンに出力する第一の出力ステップと、前記リモコンにおいて、前記第一の出力ステップで出力された前記ゲイン制御情報に基づき、前記操作信号のゲインを制御する第一のゲイン制御ステップと、前記第一のゲイン制御ステップでゲインを制御された前記操作信号を前記リモコンから出力する第二の出力ステップと、前記比較ステップにおける比較結果に基づき、前記第二の出力ステップで前記リモコンから出力された前記操作信号の受信ゲインを制御する第二のゲイン制御ステップと、からなる。
【００１３】
また、本発明の液晶表示装置は、液晶表示用バックライトに蛍光ランプを用いた液晶パネルを有する液晶表示装置であって、前記蛍光ランプからの赤外線ノイズを検出する赤外線ノイズ測定部と、前記赤外線ノイズ測定部で測定された赤外線ノイズ量と所定の閾値とを比較する比較部と、前記比較部における比較結果に基づき、該リモコン部から出力される該操作信号のゲインを制御する情報であるゲイン制御情報を該リモコン部に出力するとともに、該リモコン部から出力される該操作信号の受信ゲインを制御するリモコン受光部と、前記リモコン受光部から受信した前記ゲイン制御情報に基づきユーザー入力による操作信号のゲインを制御して、前記リモコン受光部にゲインを制御した前記操作信号を出力するリモコン部と、からなる。
【００１４】
本発明の液晶表示装置およびそのゲイン制御方法によれば、液晶表示用バックライトに用いた蛍光ランプの温度が低く、蛍光ランプからの赤外線放射量が多い場合でも、液晶表示装置の輝度を低下させず、リモコンの操作信号の到達距離を短くすることなく、蛍光ランプからの赤外線ノイズの影響を軽減し、リモコンの操作信号を液晶表示装置に伝え操作することが出来る。
【発明の効果】
【００１５】
本発明の液晶表示装置およびそのゲイン制御方法によれば、液晶表示用バックライトに用いた蛍光ランプの温度が低く、蛍光ランプからの赤外線放射量が多い場合でも、液晶表示装置の輝度を低下させず、リモコンの操作信号の到達距離を短くすることなく、蛍光ランプからの赤外線ノイズの影響を軽減し、リモコンの操作信号を液晶表示装置に伝え操作することが出来る。
【図面の簡単な説明】
【００１６】
【図１】本発明の実施例１に係わる液晶表示装置の構成図。
【図２】本発明の実施例１に係わる液晶表示装置におけるリモコン受光部の構成図。
【図３】本発明の実施例１に係わる液晶表示装置におけるリモコンの構成図。
【図４】本発明の実施例１に係わる液晶表示装置におけるゲイン制御のフローチャート。
【図５】本発明の実施例２に係わる液晶表示装置の構成図。
【図６】本発明の実施例２に係わる液晶表示装置におけるゲイン制御のフローチャート。
【発明を実施するための形態】
【００１７】
以下、本発明を実施するための形態について、図面を参照しながら説明する。
【実施例１】
【００１８】
図１は、本発明の実施例１に係わる液晶表示装置の構成図である。
【００１９】
液晶表示装置１００は、チューナ１、ＡＶ入力端子２、ＨＤＭＩ入力端子３、ＰＣ入力端子４、ＡＶスイッチ５、３次元Ｙ／Ｃ分離回路６、デコーダ７、Ａ／Ｄ変換回路８、マイコン９、音声アンプ１０、スピーカ１１、ＬＣＤコントローラ１２、液晶パネル１３、温度センサ１４、リモコン受光部１５、リモコン１６から構成される。
【００２０】
リモコン受光部１５は、ユーザの選局操作等によりリモコン１６から出力される操作信号を受信・復号し、マイコン９へと伝える。マイコン９は、リモコン受光部１５からの操作信号に応じた各種動作を行なう。
【００２１】
温度センサ１４は、液晶パネル１３の内部にある液晶表示用の冷陰極管蛍光ランプ（以降、単に蛍光ランプとも言う）近傍に設けられ、蛍光ランプの温度を直接測定できる構成である。温度センサ１４で測定された温度はマイコン９へと伝えられる。マイコン９は、ある決められた基準温度（所定の閾値）を保持し、温度センサ１４で測定された温度と比較し、比較結果に応じて各種動作を行う。
【００２２】
図２は、本発明の実施例１に係わる液晶表示装置におけるリモコン受光部の構成図である。
【００２３】
リモコン受光部１５は、フォトダイオード２１、アンプ２２、復調器２３、比較器２４、ゲイン制御部２５、信号送信部２６から構成される。
【００２４】
図３は、本発明の実施例１に係わる液晶表示装置におけるリモコンの構成図である。
【００２５】
リモコン１６は、操作部３１、キー検出部３２、制御部３３、パルス発生部３４、ＩＲ  ＬＥＤ送信部３５、信号受信部３６から構成される。
【００２６】
図４は、本発明の実施例１に係わる液晶表示装置におけるゲイン制御のフローチャートである。
【００２７】
以下、図２〜図４を用いて、液晶表示装置１００のリモコン受光部１５およびリモコン１６のゲイン制御について説明する。
【００２８】
液晶表示装置１００の電源がＯＮされると、温度センサ１４は液晶パネル１３の蛍光ランプの温度を測定し、測定結果（測定温度）をマイコン９に出力する（ステップＳ２１）。
【００２９】
マイコン９は、温度センサ１４から測定温度を受けると、自身が保持する基準温度（所定の閾値）との比較を行う（ステップＳ２２）。
【００３０】
マイコン９は、測定温度が基準温度よりも低い場合には（ステップＳ２２でＮＯ）、比較結果をリモコン受光部１５に伝える。マイコン９から比較結果を受けたリモコン受光部１５のゲイン制御部２５は、測定温度が基準温度よりも低い場合には蛍光ランプが冷えていて赤外線の放出量（以降、赤外線ノイズ量とも言う）が多いと判断できるので、アンプ２２のゲイン（リモコン１６から出力されるユーザー入力による操作信号を受信する受信ゲイン）を下げ、蛍光ランプからの赤外線ノイズを検出しないようにする（ステップＳ２３）。
【００３１】
ここで、リモコン受光部１５のアンプ２２のゲインを下げることによって蛍光ランプからの赤外線ノイズの影響を軽減できるので、リモコン操作が効かないという状態はなくなるが、リモコン受光部１５のゲインを下げているので相対的にリモコン１６からの操作信号が液晶表示装置１００に届く距離が当初の設計値よりも短くなってしまう。そこで、リモコン受光部１５でアンプ２２のゲインを下げたという情報（ゲイン制御情報）を信号送信部２６からリモコン１６の信号受信部３６に伝え、制御部３３によりリモコン１６から出力されるユーザー入力による操作信号のゲインを上げることによって、リモコン受光部１５のアンプ２２のゲインを下げたことによりリモコン１６からの操作信号の到達距離が短くなるといった問題が解決される（ステップＳ２３）。
【００３２】
なお、温度センサ１４は、液晶表示装置１００の電源がＯＮされた際に液晶パネル１３の蛍光ランプの温度を測定した後も周期的に蛍光ランプの温度測定を行っており、リモコン１６から出力されるユーザー入力による操作信号のゲインおよびリモコン受光部１５のアンプ２２のゲインを変更した後に測定温度が基準温度を超えた場合には（ステップＳ２５でＹＥＳ）、変更したリモコン１６から出力されるユーザー入力による操作信号のゲインおよびリモコン受光部１５のアンプ２２のゲインを初期値に戻す（ステップＳ２６）。
【００３３】
リモコン１６から出力されるユーザー入力による操作信号のゲインを上げていると消費電力が多くなり電池の減りが早くなるといった問題があるので、蛍光ランプの赤外線による妨害を受けにくい状況になったところでリモコン１６から出力されるユーザー入力による操作信号のゲインを初期値に戻す必要がある。このとき、リモコン受光部１５のアンプ２２のゲインも初期値に戻す。蛍光ランプからのノイズを受けなくなった状態でリモコン１６とリモコン受光部１５のゲインを初期値に変更すると従来の設計と同等なのでリモコン１６の操作に支障なく液晶表示装置１００を使用することが出来る。
【００３４】
一方、マイコン９は、測定温度が基準温度よりも高い場合には（ステップＳ２２でＹＥＳ）、比較結果をリモコン受光部１５には伝えず、蛍光ランプの温度が高く赤外線の放出量が少ないと判断できるのでリモコン１６とリモコン受光部１５のゲイン変更を行なわず、フローを終了する。これは、蛍光ランプの温度が高いときに液晶表示装置１００の動作が開始された場合は、リモコン受光部１５に妨害を与えるほどに赤外線の放出量が多くなる可能性が低いと判断できるためで、また液晶表示装置１００が動作を開始すると蛍光ランプそのものや電源基板、信号基板といった各基板から熱が発生し徐々に蛍光ランプからの赤外線放出量が減少するためである。
【００３５】
以上、本実施例１の液晶表示装置によれば、液晶表示用バックライトに用いた蛍光ランプの温度が低く、蛍光ランプからの赤外線放射量が多い場合でも、液晶表示装置の輝度を低下させず、リモコンの操作信号の到達距離を短くすることなく、蛍光ランプからの赤外線ノイズの影響を軽減し、リモコンの操作信号を液晶表示装置に伝え操作することが出来る。
【００３６】
なお、図１と基本的な構成は変わらず、温度センサ１４を蛍光ランプからの赤外線ノイズを測定する赤外線ノイズ検出回路に置き換えて、蛍光ランプ近傍に配置し直接蛍光ランプからの赤外線ノイズ量を測定できる構成としても良い。
【００３７】
この場合、図２において温度測定を行うステップ（ステップＳ２１、Ｓ２４）を、赤外線ノイズ量を測定する構成に、測定温度と基準温度とを比較するステップ（ステップＳ２２、Ｓ２５）を、測定した赤外線ノイズ量と基準赤外線ノイズ量とを比較するステップに変更すれば良い。赤外線ノイズ検出回路で測定した赤外線ノイズ量情報はマイコン９へと伝えられ、ある決められた基準赤外線ノイズ量と比較し基準赤外線ノイズ量よりも測定した赤外線ノイズ量が多いか、少ないかの判断を行なう。
【００３８】
測定した赤外線ノイズ量が基準赤外線ノイズ量より多い場合には、液晶表示装置１００前面からの赤外線ノイズ量も多いと考えられ、リモコン受光部１５で赤外線ノイズの妨害を受けやすい状態にあると判断できるので、リモコン受光部１５の受信ゲインを下げ、蛍光ランプからの赤外線ノイズを検出しないようにする。リモコン受光部１６のゲインを下げるとリモコンの操作信号の到達距離が設計値よりも短くなってしまうため、リモコン受光部１５がゲインを変更したというゲイン制御情報をリモコン１６に伝え、リモコン１６から出力されるユーザー入力による操作信号のゲインを上げ、リモコン受光部１５のアンプ２２のゲインを下げたことにより、リモコン１６からの操作信号の到達距離が短くなるといった問題が解決される。
【００３９】
なお、赤外線ノイズ検出回路は、液晶表示装置１００の電源がＯＮされた際に液晶パネル１３の蛍光ランプからの赤外線ノイズ量を測定した後も周期的に蛍光ランプの赤外線ノイズ量の測定を行っており、リモコン１６から出力されるユーザー入力による操作信号のゲインおよびリモコン受光部１５のアンプ２２のゲインを変更した後に測定した赤外線ノイズ量が基準赤外線ノイズ量よりも少なくなると、変更したリモコン１６から出力されるユーザー入力による操作信号のゲインおよびリモコン受光部１５のアンプ２２のゲインを初期値に戻す。
【００４０】
なお、温度センサ１４を蛍光ランプ近傍ではなく液晶表示装置１００もしくはリモコン１６に持たせる構成としても良い。この構成は、液晶パネル内の蛍光ランプ近傍に温度センサ１４を配置することが難しい場合にもリモコン受光部１５が蛍光ランプからの赤外線ノイズを受けず、リモコン受光部１５の感度の低下を軽減することが出来る。蛍光ランプの温度を直接測定する場合と比較し、信頼性はやや劣るが一般的に液晶表示装置が使用されている家庭や室内等の状況においては問題なくリモコン受光部１５の感度の低下を軽減することが出来る。
【００４１】
温度センサ１４を液晶表示装置１００もしくはリモコン１６に取り付けることによって測定できる温度は、液晶表示装置１００内の温度、液晶表示装置１００付近の温度、リモコン１６付近の温度となる。液晶表示装置１００内の温度を測定する場合は蛍光ランプに近く蛍光ランプの温度とほぼ同等であることがいえる。また、液晶表示装置１００付近の温度、リモコン１６付近の温度は室温に近い。放電開始前の蛍光ランプの温度は室温に比例するので、液晶表示装置１００付近の温度、リモコン１６付近の温度を測定することによって蛍光ランプの温度を割り出すことが出来る。
【００４２】
蛍光ランプの温度を割り出した後の動作は、既に述べたとおりであるので、ここでの説明は省略する。
【実施例２】
【００４３】
図５は、本発明の実施例２に係わる液晶表示装置の構成図である。
【００４４】
液晶表示装置２００が液晶表示装置１００と異なる点は、未操作時間計測回路１７をさらに備える点である。
【００４５】
未操作時間計測回路１７は、前回液晶表示装置２００の電源をＯＦＦ（スタンバイ）させる操作を行なったときから今回液晶表示装置２００の電源をＯＮする操作を行なうまでの時間（未操作時間）を計測する。
【００４６】
図６は、本発明の実施例２に係わる液晶表示装置におけるゲイン制御のフローチャートである。図４で説明した本発明の実施例１に係わる液晶表示装置におけるゲイン制御のフローチャートと異なる点は、ステップＳ６３およびステップＳ６４を備える点である。以下、ステップＳ６３およびステップＳ６４について説明する。
【００４７】
マイコン９による測定温度と基準温度との比較の結果、測定温度が基準温度よりも低い場合（ステップＳ６２でＮＯ）、リモコン受光部１５はマイコン９による測定温度と基準温度との比較結果とともに、未操作時間計測回路１７から未操作時間を入手し（ステップＳ６３）、自身が保持する基準時間（閾値）との比較を行う（ステップＳ６４）。
【００４８】
未操作時間が基準時間よりも長い場合、ステップ６５以降の動作が行われる。ステップＳ６５以降の動作は、既に述べたステップＳ２３以降の動作と同じであるため、ここでの説明は省略する。
【００４９】
一方、未操作時間が基準時間よりも短い場合、マイコン９による測定温度と基準温度との比較の結果、測定温度が基準温度よりも低い場合でも、蛍光ランプの温度が下がりきっておらず蛍光ランプから放出される赤外線ノイズ量が少ないと判断できるので、リモコン１６とリモコン受光部１５のゲインの変更は行なわない。
【００５０】
以上、本実施例２の液晶表示装置によれば、液晶表示用バックライトに用いた蛍光ランプの温度が低く、蛍光ランプからの赤外線放射量が多い場合でも、液晶表示装置の輝度を低下させず、リモコンの操作信号の到達距離を短くすることなく、蛍光ランプからの赤外線ノイズの影響を軽減し、リモコンの操作信号を液晶表示装置に伝え操作することが出来る。加えて、未操作時間が基準時間よりも短い場合、測定温度が基準温度よりも低い場合であってもゲインの変更は行なれないので、効率の良いゲイン変更が出来る。
【産業上の利用可能性】
【００５１】
本発明は、液晶表示用バックライトに蛍光ランプを用いた液晶表示装置のリモコン受光感度の低下を軽減する技術として有用である。
【符号の説明】
【００５２】
１    チューナ
２    ＡＶ入力端子
３    ＨＤＭＩ入力端子
４    ＰＣ入力端子
５    ＡＶスイッチ
６    ３次元Ｙ／Ｃ分離回路
７    デコーダ
８    Ａ／Ｄ変換回路
９    マイコン
１０    音声アンプ
１１    スピーカ
１２    ＬＣＤコントローラ
１３    液晶パネル
１４    温度センサ
１５    リモコン受光部
１６    リモコン
１７    未操作時間計測回路
２１    フォトダイオード
２２    アンプ
２３    復調器
２４    比較器
２５    ゲイン制御部
２６    信号送信部
３１    操作部
３２    キー検出部
３３    制御部
３４    パルス発生部
３５    ＩＲ  ＬＥＤ送信部
３６    信号受信部
１００，２００    液晶表示装置
【図１】
2012028890.tif 000003
【図２】
2012028890.tif 000004
【図３】
2012028890.tif 000005
【図４】
2012028890.tif 000006
【図５】
2012028890.tif 000007
【図６】
2012028890.tif 000008